Podtech/llm-jp-corpus-v4-ja_patent huggingface dataset:
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
前面側に遊技領域が形成された遊技盤を備え、当該遊技領域に遊技球を打込んで遊技が行なわれる遊技機であって、
前記遊技盤は、
透光性を有し、前記遊技領域が形成された板状部材と、
前記板状部材の後面側に設けられた表示装置と、
少なくとも前記遊技領域におけるいずれかの領域を光らせる態様で所定位置に設けられた発光体とを備え、
前記発光体を含む演出装置にシリアル信号方式の駆動信号を供給することにより当該演出装置の制御を行なう演出制御手段をさらに含み、
該演出制御手段は、前記発光体にシリアル信号方式の制御信号を供給することにより前記発光体を駆動制御する発光制御手段を含み、
前記遊技盤は、前記板状部材の後面側における前記表示装置が設けられた領域以外の領域を、遊技盤の前面側から透視不能な態様で隠蔽する隠蔽部材をさらに備えたことを特徴とする、遊技機。
【請求項２】
前記隠蔽部材は、可動部材を含むことを特徴とする、請求項１に記載の遊技機。
【請求項３】
前記板状部材は、開口領域が形成され、
前記遊技盤は、
前記開口領域として形成された取付開口領域に一部が挿入される態様で前記板状部材に前面側から取付けられ、遊技球が入賞可能な入賞装置と、
少なくとも前記遊技領域の後面側において発光する態様で、前記板状部材の後面側に取付けられ、遊技盤を装飾する発光装飾ユニットとを備え、
該発光装飾ユニットは、
前記発光体と、
該発光体を取付けるベース体とを備え、
該ベース体は、
前記発光体からの光を少なくとも前記遊技盤の前面側へ反射するための傾斜面が形成された反射部と、
前記発光体を臨ませるための発光体開口部とを備え、
前記発光体は、前記発光体開口部に対して、後面側から臨む態様で前記ベース体に取付けられることを特徴とする、請求項１または２に記載の遊技機。
【請求項４】
前記板状部材は、前記表示装置の表示部を臨ませるための表示開口領域がさらに形成され、
前記発光装飾ユニットの前記ベース体は、前記表示開口領域に臨む態様で開口した表示開口部がさらに形成され、
前記表示装置は、前記表示部が前記表示開口部に臨む態様で、前記ベース体の後面側に取付けられ、
前記発光装飾ユニットのベース体は、前記表示装置における前記表示部の周囲を被覆する表示装置被覆部が形成されたことを特徴とする、請求項３に記載の遊技機。
【請求項５】
前記発光装飾ユニットは、前記ベース体の後面側に、前記入賞装置に入賞した遊技球を誘導する通路を形成した球通路部が設けられたことを特徴とする、請求項３または４に記載の遊技機。
【請求項６】
前記発光装飾ユニットの前記ベース体は、前記入賞装置の一部を被覆する入賞装置被覆部が形成されたことを特徴とする、請求項３から５のいずれかに記載の遊技機。
【請求項７】
前記発光装飾ユニットは、後面側に、所定の基板を取付ける基板取付部が設けられたことを特徴とする、請求項３から６のいずれかに記載の遊技機。
【請求項８】
透明なガラスが設けられたガラス領域部を備え、遊技枠に対して開閉動作可能な部材であり、前記ガラス領域部により少なくとも前記遊技領域を視認可能とした態様で前記遊技盤の前面側に設けられた枠部材をさらに含み、
前記発光装飾ユニットは、前記ベース体において、前記枠部材の前記ガラス領域部を介した視認が不可能な領域に、前記発光装飾ユニットを前記板状部材に取付けるための視認不可能取付部が設けられたことを特徴とする、請求項３から７のいずれかに記載の遊技機。
【請求項９】
前記入賞装置は、前記取付開口領域の前縁部に当接するための当接部が形成され、
前記発光装飾ユニットは、前記ベース体において、前記入賞装置の当接部により前記板状部材が覆われる領域に、前記発光装飾ユニットを前記板状部材に取付けるための当接部領域取付部が設けられたことを特徴とする、請求項３から８のいずれかに記載の遊技機。
【請求項１０】
透明なガラスが設けられたガラス領域部を備え、遊技枠に対して開閉動作可能な部材であり、前記ガラス領域部により少なくとも前記遊技領域を視認可能とした態様で前記遊技盤の前面側に設けられた枠部材をさらに含み、
前記板状部材の前面から前記ガラス領域部までの距離よりも、前記板状部材の後面から前記発光装飾ユニットの後面までの距離の方が長距離であることを特徴とする、請求項３から９のいずれかに記載の遊技機。
【請求項１１】
透明なガラスが設けられたガラス領域部を備え、遊技枠に対して開閉動作可能な部材であり、前記ガラス領域部により少なくとも前記遊技領域を視認可能とした態様で前記遊技盤の前面側に設けられた枠部材をさらに含み、
前記演出装置は、前記遊技盤と前記枠部材とに設けられ、
前記演出装置のうち前記遊技盤に設けられた演出装置について、前記演出制御手段からの制御信号をシリアル信号方式からパラレル信号方式に変化して供給する盤側シリアル−パラレル信号変換回路と、
前記演出装置のうち前記枠部材に設けられた演出装置について、前記演出制御手からの制御信号をシリアル信号方式からパラレル信号方式に変化して供給する枠側シリアル−パラレル信号変換回路と、
前記演出制御手段と前記盤側シリアル−パラレル信号変換回路との接続を中継する第１の中継基板と、
前記演出制御手段と前記枠側シリアル−パラレル信号変換回路との接続を中継する第２の中継基板とをさらに備えたことを特徴とする、請求項１から１０のいずれかに記載の遊技機。
【請求項１２】
前記盤側シリアル−パラレル信号変換回路または枠側シリアル−パラレル信号変換回路を複数搭載した集合基板をさらに備えたことを特徴とする、請求項１１に記載の遊技機。
【手続補正２】
【補正対象書類名】明細書
【補正対象項目名】００１７
【補正方法】変更
【補正の内容】
【００１７】
（７）  前記発光装飾ユニットは、後面側に、所定の基板（主基板３１等）を取付ける基板取付部（基板取付部８０１）が設けられた（図１０）。
【手続補正書】
【提出日】平成22年8月2日(2010.8.2)
【手続補正１】
【補正対象書類名】明細書
【補正対象項目名】０００５
【補正方法】変更
【補正の内容】
【０００５】
（作用効果）
本形態のトイレットロールは、長辺の長さが６０〜８５ｍｍ、短辺の長さが１０〜３０ｍｍとなる端面楕円形状を有する扁平状でありコンパクトな形状とした。従って、鞄等にいれても嵩張らず携帯性に優れ、さらに既存のポケットティシュー自販機等と同様に自販機に販売することも可能となる。さらに、駅構内の売店等の売り場面積の小さい店舗においても販売しやいという効果を奏する。
その上で本形態のトイレットロールは、紙管にトイレットペーパーが巻き取られた筒状形態を採る。外出先の化粧室等においてトイレットロールが使い切られている状況や備え付けではないものを使用したいと考える場合であっても、これらの状況では、通常トイレットロールを取り付けるためのペーパーホルダーは設置されているため、本形態のトイレットロールではペーパーホルダーにセットすることが可能である。
従って、本形態のトイレットロールによれば、ポケットティシューの如く優れた携帯性等に有するうえに、上記ペーパーホルダーにセットすることで、煩雑な操作なく極めて容易に衛生的なトイレットロールを利用することが可能となる。
また、本発明のトイレットロールは、トイレットペーパーの長さが、３〜２０ｍとしたことで一回又は数回で使い切ることができ、常に衛生的な清潔のあるものを使用することができる。さらに、コストも安いものとなる。
他方、本発明のトイレットロールは、紙管の坪量を１４０〜３００ｇ／ｍ2と低坪量とするとともに、トイレットペーパーの長さを３〜２０ｍとし、さらに、巻取り後の直径が５５±５ｍｍとなるようにしたものを、胴面から押し潰したものとした。
この構成により、トイレットロールの巻き密度が適度なものであり、使用するにあたって、扁平形状の縁から（端面の長辺の側から）、軸心に向かって軽く押すことで真円筒に近い状態に復元変形しやすく、ホルダーにセットしやすくなるとともに、使用時の引き出しがスムーズに行えるようになる。
【手続補正２】
【補正対象書類名】明細書
【補正対象項目名】００２１
【補正方法】変更
【補正の内容】
【００２１】
＜トイレットロール製品＞
次いで、本発明のトイレットロール製品Ｘ１について図２を参照しながら説明する。この本形態のトイレットロール製品Ｘ１は、上述の本発明のトイレットロール１を包装袋２で包装したものである。
包装袋２の素材については、特に限定しない。紙、樹脂製フィルムが例示できる。
防水性、防湿性に優れ水解性のトイレットペーパーを好適に保護でき、また衛生的な状態を保持しやすい点で樹脂製フィルムが好適である。
製品の性質上、前記包装袋は、不透明であるのが望ましい。この場合、例えば不透明の樹脂製フィルム、紙を素材として用いればよく、この透明性に関しては、具体的には、ＪＩＳ  Ｐ  ８１４８（２００１）に基づく不透明度が３０％以上、好適には５０％以上あるのがよい。部分的に透明な窓部を設けて内部の残量を視認できるようにしてもよい。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
複数の図柄が付されると共に上下方向に回動可能な回動表示体が回動方向と交差する左右方向に三列並んで配置される回動表示装置と、
前記図柄を表出しうる表示部が形成された縦長矩形状の前面遊技部を有する筐体と、
遊技媒体を投入して行われる１回のゲーム毎に、ボーナス役、当該ボーナス役を除く役としての複数の一般役およびハズレ役のなかからいずれかの役を選び出す内部抽選を行う抽選手段と、を備え、
前記三つの前記回動表示体の回動を開始させ、当該回動表示体の停止操作が受け付けられると、前記内部抽選の結果が前記表示部に導出されうる遊技機であって、
前記筐体は、前記前面遊技部の上部にて左右方向に跨る縁部材と当該縁部材の両端側から下方に向かう一対の縁部材とで縁形成されると共に、当該前面遊技部の略上半部に形成される情報表示領域を有し、
前記情報表示領域は上端部に上端領域を有しており、当該上端領域には、上段、中段および下段の各段にそれぞれ一つの図柄が前記回動表示体毎に表出される前記表示部としての小窓部が形成され、
前記情報表示領域のうち前記上端領域を除く略全域にて所定の演出画像が表示されるように配置される演出画像表示装置と、
前記演出画像表示装置に表示される所定の演出画像の表示を制御する演出画像表示制御手段と、
前記回動表示体の停止操作が受け付けられたときに、前記内部抽選の結果に基づいて前記各回動表示体の回動の停止を制御する回動停止制御手段と、
全ての前記回動表示体が停止状態となったときに、前記ボーナス役および前記複数の一般役のうちいずれかの役に入賞したか否かを判定する図柄判定手段と、
前記図柄判定手段により前記ボーナス役に入賞したと判定されたときに、遊技者に有利なボーナスゲームを実行するボーナスゲーム実行手段と、
前記図柄判定手段により前記複数の一般役のうちいずれかの一般役に入賞したと判定されたときに、当該一般役の種別に対応する遊技価値を、１回のゲーム毎に賞として付与する遊技価値付与手段と、を備え、
前記回動停止制御手段は、前記１回のゲーム毎に、前記小窓部内の上段、中段および下段の各段に、それぞれ一つの図柄が前記回動表示体毎に表出されるように停止制御し、
全ての前記回動表示体の回動が停止したときには、当該全ての回動表示体について前記小窓部内の上段、中段および下段の全ての段に図柄が一つずつ表出されるにもかかわらず、
前記左右方向に三列に並ぶ回動表示体のうちいずれか一の列については、上段、中段および下段のうちいずれか一つの段に表出された図柄のみが有効化されると共に、
前記左右方向に三列に並ぶ回動表示体のうち前記一の列とは異なる二つの列については、上段、中段および下段のうち二つの段に表出された図柄が有効化され、
前記図柄判定手段は、前記有効化された図柄のなかから前記回動表示体毎に一つずつ選ばれて構成される有効組み合わせが、前記ボーナス役および前記複数の一般役のうちいずれかの役に対応する図柄の組み合わせであるときに入賞と判定するものであり、
前記演出画像表示制御手段は、前記内部抽選の結果に拘わらず前記所定の演出画像を前記演出画像表示装置に表示しうると共に、前記内部抽選にて前記ボーナス役が選び出された場合に限り必ず、前記内部抽選の結果に基づく特定の演出画像が前記演出画像表示装置の略全域に表示されるように制御する
ことを特徴とする遊技機。
【請求項２】
前記左右方向に三列に並ぶ各回動表示体のうち中列の回動表示体の上段および下段のうちいずれか一つの段に表出された図柄のみが有効化されると共に、
前記中列の回動表示体には、少なくとも前記複数の一般役のうち最も選び出される確率が高い一般役の図柄組み合わせを構成する図柄が、任意に選び出された回動方向に連続する三つの図柄のなかに必ず一つ以上付されており、
前記回動停止制御手段は、
前記内部抽選にて前記ボーナス役および前記複数の一般役のうちいずれの役も選び出されなかった場合には、当該ボーナス役に対応する図柄組み合わせ、および、当該複数の一般役に対応する図柄組み合わせのいずれも、前記有効組み合わせとして前記小窓部内に導出させることなく、
前記ボーナス役および前記複数の一般役のうちいずれかの役が選び出された場合には、当該選び出された役に対応する図柄組み合わせが、前記有効組み合わせとして前記小窓部内に導出されるように、前記回動表示体の停止操作が受け付けられたときを起点として最大で三つの図柄まで引き込むように制御する
請求項１に記載の遊技機。
【請求項３】
前記左右方向に三列に並ぶ回動表示体のうち一の回動表示体には、前記一般役の図柄組み合わせを構成する図柄として、当該一の回動表示体とは異なる他の二つの回動表示体に付された図柄とは異なる種別の図柄のみが付されており、
前記図柄判定手段は、前記他の二つの回動表示体に付された図柄と前記一の回動表示体に付された図柄とが異なる種別の図柄組み合わせが前記有効組み合わせとして前記小窓部内に導出された場合に、前記一般役のうちいずれかの役に入賞したと判定しうる
請求項１または請求項２に記載の遊技機。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
複数の図柄が付されると共に回動可能な回動表示体を、回動方向と交差する方向に三列並んで配置される回動表示装置と、
前記図柄を表出しうる表示部が形成された縦長矩形状の前面遊技部を有する筺体と、
遊技媒体を投入して行われる１回のゲーム毎に、ボーナス役、当該ボーナス役を除く複数の一般役およびハズレ役の中からいずれかの役を選び出す内部抽選を行う抽選手段と、を備え、
前記三つの回動表示体の回動を開始させ、全ての前記回動表示体の停止操作が受け付けられると、１回のゲームの結果が前記表示部に導出される遊技機であって、
前記筺体は、前記前面遊技部の上部にて左右方向に跨る縁部材と当該縁部材の両端側から下方に向かう一対の縁部材とで縁形成されると共に、当該前面遊技部の略上半部に形成される情報表示領域を有し、
前記情報表示領域は上端部に上端領域を有しており、当該上端領域には、前記回動表示体毎に三つの図柄が表出される前記表示部としての小窓部が形成され、
前記情報表示領域のうち前記上端領域を除く略全域にて所定の演出画像が表示されるように配置される演出画像表示装置と、
前記回動表示体の停止操作が受け付けられたときに、前記内部抽選の結果が前記小窓部に導出されるように、前記各回動表示体の回動の停止を制御しうる回動停止制御手段と、
全ての前記回動表示体が停止状態となったときに、前記ボーナス役および前記複数の一般役のうちいずれかの役に入賞したか否かを判定する図柄判定手段と、
前記図柄判定手段により前記ボーナス役に入賞したと判定されたときに、遊技者に有利なボーナスゲームを実行するボーナスゲーム実行手段と、
前記図柄判定手段により前記複数の一般役のうちいずれかの一般役に入賞したと判定されたときに、当該一般役の種別に対応する遊技価値を、１回のゲーム結果の賞として付与する遊技価値付与手段と、
前記図柄判定手段により前記複数の一般役のうち特定一般役に入賞したと判定されたときに、遊技者に有利な特定ゲームを実行しうる特定ゲーム実行手段と、
前記内部抽選の結果に拘わらず前記所定の演出画像を前記演出画像表示装置に表示しうると共に、前記内部抽選により前記ボーナス役に当選した場合に限り必ず、前記内部抽選の結果に基づく特典演出画像を、前記演出画像表示装置の略全域に表示する演出画像表示制御手段と、を備え、
全ての前記回動表示体の回動が停止したとき、前記三つの回動表示体を跨る５つの直線ラインのうち互いに交わる２つの直線ラインと、当該２つの直線ラインに位置する図柄のなかから前記回動表示体毎に一つずつ選び出された図柄を前記三つの図柄表示体に跨って結んだ屈曲ラインと、で有効ラインが構成され、
前記図柄判定手段は、前記有効ラインに沿って導出された図柄の組み合わせが、前記ボーナス役および前記複数の一般役のうちいずれかの役に対応する図柄の組み合わせであるときに入賞と判定するものであり、
前記内部抽選にて前記複数の一般役のうち特定一般役が選び出されたとき、
前記回動停止制御手段は、
前記内部抽選にて選び出された役が前記特定役のうち第１の特定一般役であるときは、当該第１の特定一般役に対応する図柄組み合わせとして、前記左右方向に三列に並ぶ回動表示体のうち、前記２つの直線ラインが交わる列の回動表示体に付された図柄のみが他の２つの列の回動表示体に付された図柄と異なる種別の図柄で構成される第１の異種図柄組み合わせを、前記有効ラインに沿って導出し、
前記内部抽選にて選び出された役が前記特定一般役のうち第２の特定一般役であるときは、当該第２の特定一般役に対応する図柄組み合わせとして、前記他の２つの列の回動表示体に付された図柄が前記第１の異種図柄組み合わせと同じ種別の図柄であって且つ前記２つの直線ラインが交わる列の回動表示体に付された図柄が前記第１の異種図柄組み合わせと異なる種別の図柄で構成される第２の異種図柄組み合わせを、前記有効ラインに沿って導出するものであり、
前記特定一般役に対応する図柄の組み合わせが前記有効ラインに沿って導出されると、当該導出された図柄の組み合わせが、
前記第１の異種図柄組み合わせおよび前記第２の異種図柄組み合わせのいずれであるかにかかわらず、前記特定一般役に対応する遊技価値として同等の遊技価値が、前記遊技価値付与手段によって１回のゲーム結果の賞として付与され、
前記第１の異種図柄組み合わせが導出された場合には、前記抽選手段による内部抽選において前記特定一般役に当選したにもかかわらず前記特定ゲームが付与されることなく、前記第２の異種図柄組み合わせが導出された場合にのみ、前記特定ゲーム付与手段によって前記特定ゲームが付与される
ことを特徴とする遊技機。
【請求項２】
前記演出画像表示制御手段は、
前記回動停止制御手段によって前記第１の異種図柄組み合わせおよび前記第２の異種図柄組み合わせのいずれが前記入賞ラインに沿って導出されたとしても、
前記第１の特定一般役と前記第２の特定一般役とに共通する一のシンボルを少なくとも演出画像として前記演出画像表示装置に表示する
請求項１に記載の遊技機。
【請求項３】
前記２つの直線ラインは、前記左右方向に三列に並ぶ回動表示体のうち中列の回動表示体にて交差するラインであり、
前記回動停止制御手段は、前記内部抽選にて前記ボーナス役および前記複数の一般役のうちいずれかの役が選び出された場合には、前記２つの直線ラインが交差する位置に、当該選び出された役に対応する図柄組み合わせを構成する図柄が導出されるように、前記中列の回動表示体の停止を制御する
請求項１または請求項２に記載の遊技機。
【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
遊技球が流下する遊技領域に設けられ、当該流下する遊技球が入球可能な入球部と、
遊技機内部にて遊技球を貯留する内側貯留部と、
遊技機前面部にて遊技球を貯留する外側貯留部と、
前記内側貯留部に貯留されている遊技球を前記外側貯留部に誘導する誘導通路部と、
当該誘導通路部の途中位置に設けられ、上流側から流下してきた遊技球を一旦停止させる球止め手段を有し、前記一旦停止させられている遊技球を前記球止め手段の払出動作により下流側へ払い出す払出手段と、
前記入球部に遊技球が入球したことに基づいて払出を実行すべき遊技球数に対応した情報として賞球数情報を記憶するとともに、当該賞球数情報に対応した数の遊技球が前記外側貯留部に払い出されるように前記払出手段に前記払出動作を実行させる制御手段と、
前記払出手段よりも上流側の位置にて前記誘導通路部の一部を構成し、前記払出手段側へ遊技球を誘導する払出誘導状態と前記誘導通路部の外部へ遊技球を排出する排出通路部側へ遊技球を誘導する排出誘導状態とに切換可能に設けられた切換部と、
を備えており、
さらに、前記入球部への一の入球に対して払い出される単位遊技球数が複数の遊技球数となるように、前記制御手段に記憶される賞球数情報が設定されており、
外部電源から遊技機への電力供給が停止された状況において前記制御手段にバックアップ電力を供給する電力供給手段を備えているとともに、
前記切換部が前記排出誘導状態に切り換えられ当該切換部よりも上流側の遊技球が排出された場合に、当該切換部から前記球止め手段にて一旦停止される位置までの間に残存する残存遊技球数が前記単位遊技球数の整数倍と一致しないように、前記切換部から前記球止め手段にて一旦停止される位置までの待機通路長が設定されていることを特徴とする遊技機。
【請求項２】
前記遊技領域には前記単位遊技球数が異なる入球部が複数設けられており、
それら入球部の前記単位遊技球数がいずれも複数の遊技球数となるように、前記制御手段に記憶される賞球数情報が設定されており、
前記残存遊技球数が、当該残存遊技球の排出を行う状況であっても入球が有効となる入球部に対応した単位遊技球数のいずれの整数倍とも一致しないように、前記待機通路長が設定されていることを特徴とする請求項１に記載の遊技機。
【請求項３】
前記残存遊技球数が、複数種類の前記単位遊技球数のうち２種類以上の各単位遊技球数をそれぞれ整数倍したものの和の数と一致するように、前記待機通路長が設定されていることを特徴とする請求項２に記載の遊技機。
【請求項４】
前記入球部として、入球可能又は入球し易い状態と入球不可又は入球しがたい状態とに開閉される開閉手段を有する開閉入球部と、当該開閉手段を不具備である開放入球部と、を備えており、
さらに、前記単位遊技球数が異なる開放入球部が複数設けられており、
前記残存遊技球数が、前記開放入球部における複数種類の単位遊技球数のうち２種類以上の各単位遊技球数をそれぞれ整数倍したものの和の数と一致するように、前記待機通路長が設定されていることを特徴とする請求項３に記載の遊技機。
【請求項５】
遊技機本体に搭載され、前面に前記遊技領域が形成された遊技盤と、
前記遊技機本体の左右の一方を開閉基端側とし他方を開閉先端側として当該遊技機本体に対して開閉可能に設けられ、遊技機前方から前記遊技領域を視認可能とする表示部を有する遊技機前面体と、
を備えており、
前記遊技領域には、前記入球部が、前記遊技領域の左右方向の中央側、当該中央側よりも前記開閉基端側、及び当該中央側よりも前記開閉先端側にそれぞれ設置されており、
前記残存遊技球数が、前記中央側又は前記開閉先端側に設けられた入球部における複数種類の単位遊技球数のうち２種類以上の各単位遊技球数をそれぞれ整数倍したものの和の数と一致するように、前記待機通路長が設定されていることを特徴とする請求項３又は４に記載の遊技機。
【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
遊技機前方から視認可能な位置に設けられている遊技盤と、
前記遊技盤の前面に設けられ、遊技球が流れ落ちる遊技領域と、
前記遊技盤に形成され、前記遊技領域を流れ落ちる前記遊技球を前記遊技盤の背面側に案内する開口部と、
前記遊技盤を支持する支持枠と、
前記遊技盤の背面側に設けられている背面カバーと、
前記開口部よりも下方に設けられ、遊技機背面側へ案内された前記遊技球が落下した場合に当たる当接部と、
前記当接部から所定間隔をおいて下方へ離間した位置に設けられ、前記当接部が所定量以上に変位した場合に当該当接部に当接してその当接部の変位を制限する制限部と
を備えていることを特徴とする遊技機。
【請求項２】
前記当接部が左右に延びる板状をなすとともに、その前側端部が自由端とされ、後側の端部が固定端とされていることを特徴とする請求項１に記載の遊技機。
【請求項３】
前記開口部が前記遊技盤の幅方向に複数形成されているとともに、前記当接部が前記遊技盤の幅方向に延びる長尺状に形成され、前記開口部から落下する前記遊技球が前記当接部の異なる部位に当たる構成とされていることを特徴とする請求項１又は請求項２に記載の遊技機。
【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
遊技機前方から視認可能な位置に設けられている遊技盤と、
前記遊技盤の前面に設けられ、遊技球が流れ落ちる遊技領域と、
前記遊技盤に形成され、前記遊技領域を流れ落ちる前記遊技球を前記遊技盤の背面側に案内する開口部と、
前記遊技盤を支持する支持枠と、
前記遊技盤の背面側に設けられている背面カバーと、
前記支持枠及び前記背面カバーの少なくともいずれかに設けられているとともに、前記開口部よりも下方に配置されており、前記開口部から落下した前記遊技球を排出する排出領域と、
前記背面カバーに設けられているとともに、前記遊技盤の下端部と前記支持枠との境界部位の後方に、当該境界部位に沿って配置されている背面カバー補強部材と
を備えていることを特徴とする遊技機。
【請求項２】
遊技機前方から視認可能な位置に設けられている遊技盤と、
前記遊技盤の前面に設けられ、遊技球が流れ落ちる遊技領域と、
前記遊技盤に形成され、前記遊技領域を流れ落ちる前記遊技球を前記遊技盤の背面側に案内する開口部と、
前記遊技盤を支持する支持枠と、
前記遊技盤の背面側に設けられている背面カバーと、
前記支持枠及び前記背面カバーの少なくともいずれかに設けられているとともに、前記開口部よりも下方に配置されており、前記開口部から落下した前記遊技球を排出する排出領域と、
前記背面カバーに設けられているとともに、前記支持枠と前記遊技盤との境界部位の後方に配置され、前記境界部位のうち、少なくとも前記排出領域と遊技機の正面視において重なる範囲を含んで設定されている背面カバー補強部材と
を備えていることを特徴とする遊技機。
【請求項３】
前記支持枠が、左右方向に延びる支持枠補強部材を備え、
遊技機正面視において、前記遊技盤の下端部と前記支持枠との境界部位の下側で、前記支持枠補強部材の上端部と記背面カバー補強部材とが重なっていることを特徴とする請求項１又は請求項２に記載の遊技機。
【手続補正書】
【提出日】平成21年11月9日(2009.11.9)
【手続補正１】
【補正対象書類名】特許請求の範囲
【補正対象項目名】請求項２
【補正方法】変更
【補正の内容】
【請求項２】
衣類が収容される回転ドラムと、前記回転ドラムを駆動するモータと、前記回転ドラムを支持する筐体とを有し、前記回転ドラムを前記モータで反転回転させて乾燥運転する乾燥機において、
前記乾燥運転中に、前記回転ドラムに収容された衣類に直接風を吹きつける手段を設け、前記風を吹きつける手段は、送風手段、該送風手段の吐き出し側に設けたノズル、及びこれらを接続する風路とで構成し、前記ノズルは前記回転ドラムの右上部に配置し、
前記乾燥運転時に前記回転ドラムの回転速度を左回転の回転速度より右回転の回転速度を高くしたことを特徴とする乾燥機。
【手続補正２】
【補正対象書類名】明細書
【補正対象項目名】００１１
【補正方法】変更
【補正の内容】
【００１１】
このように構成した乾燥機又は洗濯乾燥機は、乾燥運転時に右上にあるノズルから高速の風を衣類に吹きかけながら回転ドラムを左右に反転回転させている。回転ドラムが右回転する場合、衣類が持ち上げられ落下し始めるところにノズルからの高速の風が当たるため、衣類は急激に落下し、しわを伸ばす効果が減少する。回転ドラムが左回転する場合は、衣類が持ち上げられ最上部に達する前に高速の風が当たる。衣類は上向きの速度を有しているため、風が当たることで回転ドラム内の上側を左方向に向かい流された後落下するため、衣類が広がりやすい。そこで、回転ドラムの左回転の時間を右回転の時間より長くすることで、長い時間衣類が広がりやすい状態にでき、衣類に高速の風を十分に当てることができ、衣類のしわが伸ばされて、しわの少ない乾燥仕上がりを実現できる。
【手続補正３】
【補正対象書類名】明細書
【補正対象項目名】００４６
【補正方法】変更
【補正の内容】
【００４６】
本実施の形態例では、前述のようにノズル３２ｄは外槽カバー２ｄの（向かって）右斜め上（略４５度の場所）に位置しており、ここから洗濯兼脱水槽３の背面３ｄの略中心部に向かい高速の風が吹き出している。乾燥運転中に洗濯兼脱水槽３を正逆回転させながら、衣類を持ち上げノズル３２ｄに近づけ、ノズル３２ｄからの高速の風を衣類に当てている。図１３は、この時、洗濯兼脱水槽３内での衣類の動きを矢印で示した模式図である。図１３（ａ）は洗濯兼脱水槽３が正面から見て右回転している場合を、図１３（ｂ）は洗濯兼脱水槽３が左回転している場合を示す。
【手続補正４】
【補正対象書類名】明細書
【補正対象項目名】００４７
【補正方法】変更
【補正の内容】
【００４７】
右回転の場合、衣類が持ち上げられ落下し始めるところに高速の風４１が当たるため、衣類は矢印のように急激に落下する（風速が低い場合は破線のように落下する）。このため、高速の風が衣類に十分に当たらず、しわを伸ばす効果が減少する。また、洗濯兼脱水槽３の右上側に衣類が行きにくい部分が生じるため、洗濯兼脱水槽３の容積が見かけ上減少したことと等価になり、衣類が広がり難く、仕上がり向上効果がやや少なくなる。
【手続補正５】
【補正対象書類名】明細書
【補正対象項目名】００６４
【補正方法】変更
【補正の内容】
【００６４】
ステップＳ１０９
乾燥開始からの経過時間が既定の時間になったかどうかを確認して処理を分岐する。規定の時間は、衣類の乾燥度（＝乾布の質量／湿布の質量）が０.９に達する時間より前に設定する。
【手続補正６】
【補正対象書類名】図面
【補正対象項目名】図１４
【補正方法】変更
【補正の内容】
【図１４】
2009072495.tif 000001
【手続補正書】
【提出日】平成21年11月9日(2009.11.9)
【手続補正１】
【補正対象書類名】特許請求の範囲
【補正対象項目名】請求項４
【補正方法】変更
【補正の内容】
【請求項４】
請求項１記載のドラム式洗濯機において、回転子のコギングトルクによるズレ量を回転子の穴の径より小さくし、回転子の穴と取付けネジの位置を一致させたことを特徴とするドラム式洗濯機。
【手続補正２】
【補正対象書類名】明細書
【補正対象項目名】０００３
【補正方法】変更
【補正の内容】
【０００３】
回転ドラムに直接内転方式の回転子を備えたモータを取付けたものは特開２００６−３５８号公報（特許文献１）に記載されており、固定子を挟み込む両側エンドブラケットを備え、その外径側をエンドブラケットで挟み込むように外槽にネジで固定している。
【手続補正３】
【補正対象書類名】明細書
【補正対象項目名】００１９
【補正方法】変更
【補正の内容】
【００１９】
ベース部２には洗濯水を排水するための排水ホース１６が取付けられている。また、ベース部２の四隅には取付け脚１７が設けられている。この取付け脚１７はゴムで形成され、ドラム式洗濯乾燥機の運転時の振動を減衰させている。
【手続補正書】
【提出日】平成21年11月9日(2009.11.9)
【手続補正１】
【補正対象書類名】明細書
【補正対象項目名】００２６
【補正方法】変更
【補正の内容】
【００２６】
乾燥運転時の風の流れを図９及び図１０を用いて説明する。送風ユニット２８を運転しヒータ３１に通電すると、ノズル３２ｄから洗濯兼脱水槽３内に高速の温風が吹き込む（矢印４１）。温風４１は、洗濯兼脱水槽３の背面３ｄの上側に当たり、跳ね返り乾燥棚６０の上側を流れる流れ（矢印４１ａ）と、背面を伝わって乾燥棚６０下部空間６０ａへ入り、洗濯兼脱水槽３の内周面３ｅで反射され乾燥棚６０の下側を流れる流れ（矢印４１ｂ）、とに分かれる。矢印４１ａの温風は、衣類の表面に当たり、矢印４１ｂの温風は衣類の裏面に当たる。このため、衣類の表面，裏面に十分な温風を供給でき、衣類から効率良く水分が蒸発する。また、高速の温風４１を直接衣類６１に当てず、洗濯兼脱水槽３の壁面で反射し拡散させ速度が低下した温風が衣類６１に当たるため、風の勢いで衣類が型崩れすることがない。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
基材と、所定のパターン形状にて上記基材上に配設されるコード状ヒータと、を具備したヒータユニットにおいて、上記基材の所定の位置のみが、高密度化された状態となっていることを特徴とするヒータユニット。
【請求項２】
上記高密度化が、上記基材を加熱加圧により圧縮することでなされることを特徴とする請求項１記載のヒータユニット。
【請求項３】
上記基材が、熱融着性繊維を含むことを特徴とする請求項１又は請求項２記載のヒータユニット。
【請求項４】
上記基材には、上記ヒータユニットを他部材に取付けるための取付具又は取付孔が設置されるとともに、上記基材における取付具近傍又は取付孔近傍のみが、高密度化された状態となっていることを特徴とする請求項３記載のヒータユニット。
【請求項５】
基材と、所定のパターン形状にて上記基材上に配設されるコード状ヒータと、を具備したヒータユニットの製造方法において、上記コード状ヒータを加熱加圧により基材上に配設すると同時に、所定の位置のみを加熱加圧することで高密度化することを特徴とするヒータユニットの製造方法。
【手続補正２】
【補正対象書類名】明細書
【補正対象項目名】発明の名称
【補正方法】変更
【補正の内容】
【発明の名称】ヒータユニット及びその製造方法
【手続補正３】
【補正対象書類名】明細書
【補正対象項目名】０００６
【補正方法】変更
【補正の内容】
【０００６】
上記目的を達成するべく、本発明の請求項１によるヒータユニットは、基材と、所定のパターン形状にて上記基材上に配設されるコード状ヒータと、を具備したヒータユニットにおいて、上記基材の所定の位置のみが、高密度化された状態となっていることを特徴とするものである。
また、請求項２記載のヒータユニットは、上記高密度化が、上記基材を加熱加圧により圧縮することでなされることを特徴とするものである。
また、請求項３記載のヒータユニットは、上記基材が、熱融着性繊維を含むことを特徴とするものである。
また、請求項４記載のヒータユニットは、上記基材には、上記ヒータユニットを他部材に取付けるための取付具又は取付孔が設置されるとともに、上記基材における取付具近傍又は取付孔近傍のみが、高密度化された状態となっていることを特徴とするものである。
また、請求項５記載のヒータユニットの製造方法は、基材と、所定のパターン形状にて上記基材上に配設されるコード状ヒータと、を具備したヒータユニットの製造方法において、上記コード状ヒータを加熱加圧により基材上に配設すると同時に、所定の位置のみを加熱加圧することで高密度化することを特徴とするものである。
【手続補正書】
【提出日】平成22年11月4日(2010.11.4)
【手続補正１】
【補正対象書類名】明細書
【補正対象項目名】００１９
【補正方法】変更
【補正の内容】
【００１９】
ところで、例えば半導体ウエハＷの高温検査を行う時にはプローブカード１３は前述したように加熱された半導体ウエハＷとの接触及び半導体ウエハＷからの放熱により熱膨張する。この熱膨張によりプローブカード１３のプローブ１３Ａの針先位置が変動するため、ステッピングモータ１２４の位置制御により載置台１１上の半導体ウエハＷを所定の距離までオーバードライブすると、デバイスの複数の電極パッドと複数のプローブ１３Ａとの接触荷重が適正な接触荷重を超え、プローブカード１３及び／または半導体ウエハＷを損傷させる虞がある。そこで、本実施形態では昇降駆動機構１２にステッピングモータ１２４のトルクを検出するトルク検出手段１２８を設け、このトルク検出手段１２８によって複数のプローブ１３Ａと半導体ウエハＷの複数の電極パッドの接触荷重を高温検査時の適正な接触荷重として維持するようにしてある。
【手続補正２】
【補正対象書類名】明細書
【補正対象項目名】００２９
【補正方法】変更
【補正の内容】
【００２９】
３番目のデバイスＤ３の高温検査を行う際にはプローブカード１３が更に熱膨張し、複数のプローブ１３Ａの針先位置が半導体ウエハＷ側に更に近づくため、ステッピングモータ１２４を位置制御部１４１の制御信号に基づいて制御するだけではデバイスＤ３の複数の電極パッドと複数のプローブ１３Ａとの接触荷重は更に大きくなり益々過大になるが、本実施形態では図２の（ｂ）に示すようにトルク制御部１４３の偏差カウンタによって現在のトルクと基準トルクとのカウント差Δｔ２を監視し、カウント差に基づいてドライバ１４２を制御し、接触荷重を適正な接触荷重に収束させて常に信頼性のある高温検査を行うことができる。このようにステッピングモータ１２４がトルク検出手段１２８により、トルク制御可能になっているため、プローブカード１３の熱膨張に連れて接触荷重が大きくなっても、図２の（ｂ）に矢印Ｃで示すようにステッピングモータ１２４のプルアウトトルクも徐々に大きくなり、ステッピングモータ１２４が脱調することなく確実に駆動する。
【手続補正３】
【補正対象書類名】明細書
【補正対象項目名】００３０
【補正方法】変更
【補正の内容】
【００３０】
以上説明したように本実施形態によれば、載置台１１を昇降させる昇降駆動機構１２は、載置台１１を昇降させるためにカップリング部材１２５Ａ、１２５Ｂを介して連結された第１、第２駆動軸１２３Ａ、１２３Ｂと、第１、第２駆動軸１２３Ａ、１２３Ｂを駆動させるステッピングモータ１２４と、複数のプローブ１３ＡとデバイスＤの複数の電極パッド間の接触荷重に基づくトルクを第１駆動軸１２３Ａと第２駆動軸１２３Ｂ間で検出するトルク検出手段１２８と、備え、制御装置１４は、ステッピングモータ１２４の位置制御を行う位置制御部１４１と、プローブカード１３が温度変化により膨張する時のトルク検出手段１２８の検出結果に基づいてトルクを制御するトルク制御部１４３と、を有するため、プローブカード１３をプリヒートすることなく高温検査を行ってプローブ１３Ａが熱膨張により伸びて針先位置が変動しても、制御装置１４ではトルク制御部１４３においてトルク検出手段１２８からリアルタイムで送信されるトルク信号に基づいてステッピングモータ１２４を逆回転させて載置台１１を下降させてプローブ１３Ａの伸びを吸収し、プローブ１３Ａと半導体ウエハＷとの接触荷重を適正な接触荷重に収束させて信頼性の高い検査を行うことができ、結果的に半導体ウエハＷやプローブカード１３の損傷を防止することができる。
【手続補正４】
【補正対象書類名】明細書
【補正対象項目名】００３３
【補正方法】変更
【補正の内容】
【００３３】
従って、プローブカード１３が熱膨張した状態で半導体ウエハＷの高温検査を行うと、載置台１１上のデバイスの複数の電極パッドと複数のプローブ１３Ａの接触荷重により第１、第２駆動軸１２３Ａ、１２３Ｂ間のトルク検出部材１２８Ａがねじれる。この時の角度差検出器１２８Ｈが第１エンコーダ１２８Ｅの検出角度と第２エンコーダ１２８Ｇの検出角度の差を求め、この角度差を制御装置１４のトルク制御部１４３へ送信する。これにより、載置台１１が上記実施形態の場合と同様に下降してデバイスＤの複数の電極パッドと複数のプローブ１３Ａの接触荷重が適正な接触荷重に収束して、デバイスＤやプローブカード１３を損傷させることなく、デバイスＤの高温検査を確実且つ高い信頼性をもって行うことができる。
【手続補正５】
【補正対象書類名】明細書
【補正対象項目名】００３５
【補正方法】変更
【補正の内容】
【００３５】
尚、本発明は上記各実施形態に何等制限されるものではなく、本発明の構成要素を適宜設計変更することができる。例えば、上記各実施形態ではトルク検出部材のねじれ角をエンコーダで検出する場合について説明したが、ひずみ計を用いてトルクを検出することもできる。また、上記各実施形態では半導体ウエハの高温検査を行う場合について説明したが、半導体ウエハの低温検査にも適用することができ、更に半導体ウエハ以外の被検査体にも適用することができる。
【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
繰り出し機構を有するレンズ鏡筒において、
カム溝を有し、円周溝を周面に有する第１の枠部材と、
カムフォロワを有し、該カムフォロワが上記カム溝に嵌入して回動方向及び光軸方向に移動可能な第２の枠部材と、
上記カムフォロワと係合して上記第２の枠部材を相対的に光軸方向に移動可能とさせる直進溝を有し、上記第１の枠部材に対して一体的に回動すると共に、上記円周溝に嵌入して上記第２の部材に対して光軸方向に相対移動しないようにする複数の突部を有する第３の枠部材と、
を有し、前記複数の突部は二個設けられ、この二個の突部は円周方向に並べて配置され、かつ該二個の突部の間に上記直進溝が挟まれるように配置されていることを特徴とするレンズ鏡筒。
【請求項２】
上記複数の突部は四個設けられ、このうち二つの突部は光軸方向に並べて配置され、他の二つの突部は上記二つの突部に対向するように配置され、かつ上記二つの突部と上記他の二つの突部との間に上記直進溝が挟まれるように配置されていることを特徴とする請求項１に記載のレンズ鏡筒。
【手続補正２】
【補正対象書類名】明細書
【補正対象項目名】００２２
【補正方法】変更
【補正の内容】
【００２２】
上記目的を達成するために、本発明によるレンズ鏡筒は、繰り出し機構を有するレンズ鏡筒において、カム溝を有し、円周溝を周面に有する第１の枠部材と、カムフォロワを有し、該カムフォロワが上記カム溝に嵌入して回動方向及び光軸方向に移動可能な第２の枠部材と、上記カムフォロワと係合して上記第２の枠部材を相対的に光軸方向に移動可能とさせる直進溝を有し、上記第１の枠部材に対して一体的に回動すると共に、上記円周溝に嵌入して上記第２の部材に対して光軸方向に相対移動しないようにする複数の突部を有する第３の枠部材と、を有し、前記複数の突部は二個設けられ、この二個の突部は円周方向に並べて配置され、かつ該二個の突部の間に上記直進溝が挟まれるように配置されている。
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
移動体から離れて設置された通信機器から発信される光信号を受光する受光部と当該受光部の設置面に対する前記光信号の入射角度が所定の入射角度以上になった場合に前記受光部への前記光信号を遮蔽する遮蔽部とからなる前記移動体に搭載された受光装置を用いて、前記移動体の位置を標定する位置標定装置であって、
前記光信号に含まれている前記光信号を送信した通信機器の設置位置に関する情報を前記光信号の遮蔽検出元から順次受信する受信手段と、
前記受信手段によって受信される都度、前記設置位置に基づいて前記移動体の現在位置を特定する特定手段と、
前記特定手段によって特定された特定結果を出力する出力手段と、
前記移動体の特定の挙動を検出する検出手段と、
前記検出手段によって前記特定の挙動が検出されたときの前記設置位置に基づく特定またはその特定結果の出力を禁止するように制御する位置標定制御手段と、
を備えることを特徴とする位置標定装置。
【請求項２】
前記検出手段は、前記特定の挙動として前記移動体の移動速度を検出することを特徴とする請求項１に記載の位置標定装置。
【請求項３】
移動体に設けられた受光装置であって、
前記移動体から離れて設置された通信機器から発信される光信号を受光する第１の受光部と、
前記通信機器から発信される光信号を受光する第２の受光部と、
前記第１の受光部の設置面に対する前記光信号の入射角度が所定の入射角度以上になった場合、前記第１の受光部への前記光信号を遮蔽する遮蔽部と、
を備えることを特徴とする受光装置。
【請求項４】
請求項３に記載の受光装置の前記第１および第２の受光部による前記光信号の受光量を検出する検出手段と、
前記検出手段によって検出された各受光量に基づいて、前記移動体が、前記通信機器から所定の位置を通過したか否かを判定する判定手段と、
前記光信号に含まれている前記通信機器の設置位置に関する情報を、前記移動体の位置標定先に送信する送信手段と、
前記判定手段によって通信機器から所定の位置を通過したと判定された場合、前記設置位置に関する情報を前記位置標定先に送信するように制御する送信制御手段と、
を備えることを特徴とする情報転送装置。
【請求項５】
移動体から離れて設置された通信機器から発信される光信号を受光する受光部と当該受光部の設置面に対する前記光信号の入射角度が所定の入射角度以上になった場合に前記受光部への前記光信号を遮蔽する遮蔽部とからなる前記移動体に搭載された受光装置を用いて、前記受光装置から得られる情報を前記移動体の位置標定先に転送する情報転送装置であって、
前記受光装置から順次得られる前記光信号の受光量に基づいて、前記光信号の遮蔽を検出する検出手段と、
前記検出手段によって遮蔽が検出されたときに、前記移動体が、前記光信号を送信した通信機器から所定の位置を通過したか否かを判定する判定手段と、
前記光信号に含まれている前記通信機器の設置位置に関する情報を、前記移動体の位置標定先に送信する送信手段と、
前記判定手段によって前記通信機器から所定の位置を通過したと判定された場合、前記設置位置に関する情報を前記位置標定先に送信するように制御する送信制御手段と、
を備えることを特徴とする情報転送装置。
【請求項６】
前記判定手段は、前記移動体の移動速度に基づいて、前記検出手段によって遮蔽が検出されたときに、前記移動体が前記光信号を送信した通信機器から所定の位置を通過したか否かを判定することを特徴とする請求項５に記載の情報転送装置。
【請求項７】
前記判定手段は、前記移動体の移動速度と前記受光量の変化とに基づいて、前記検出手段によって遮蔽が検出されたときに、前記移動体が前記光信号を送信した通信機器から所定の位置を通過したか否かを判定することを特徴とする請求項５に記載の情報転送装置。
【請求項８】
請求項１に記載の位置標定装置と、
前記位置標定装置によって標定された前記移動体の現在位置に基づいて、経路を探索する探索手段と、
を備えることを特徴とするナビゲーション装置。
【請求項９】
移動体から離れて設置された通信機器から発信される光信号を受光する受光部と当該受光部の設置面に対する前記光信号の入射角度が所定の入射角度以上になった場合に前記受光部への前記光信号を遮蔽する遮蔽部とからなる前記移動体に搭載された受光装置を用いて、前記移動体の位置を標定するコンピュータを、
前記光信号に含まれている前記光信号を送信した通信機器の設置位置に関する情報を前記光信号の遮蔽検出元から順次受信する受信手段、
前記受信手段によって受信される都度、前記設置位置に基づいて前記移動体の現在位置を特定する特定手段、
前記特定手段によって特定された特定結果を出力する出力手段、
前記移動体の特定の挙動を検出する検出手段、
前記検出手段によって前記特定の挙動が検出されたときの前記設置位置に基づく特定またはその特定結果の出力を禁止するように制御する位置標定制御手段、
として機能させることを特徴とする位置標定プログラム。
【請求項１０】
請求項３に記載の受光装置を用いて、当該受光装置から得られる情報を前記移動体の位置標定先に転送するコンピュータを、
前記第１および第２の受光部による前記光信号の受光量を検出する検出手段、
前記検出手段によって検出された各受光量に基づいて、前記移動体が、前記通信機器から所定の位置を通過したか否かを判定する判定手段、
前記光信号に含まれている前記通信機器の設置位置に関する情報を、前記移動体の位置標定先に送信する送信手段、
前記判定手段によって通信機器から所定の位置を通過したと判定された場合、前記設置位置に関する情報を前記位置標定先に送信するように制御する送信制御手段、
として機能させることを特徴とする情報転送プログラム。
【手続補正書】
【提出日】平成21年11月30日(2009.11.30)
【手続補正１】
【補正対象書類名】明細書
【補正対象項目名】発明の名称
【補正方法】変更
【補正の内容】
【発明の名称】光学多層膜フィルタおよびその製造方法
【手続補正２】
【補正対象書類名】明細書
【補正対象項目名】０００４
【補正方法】変更
【補正の内容】
【０００４】
特許文献１では光学多層膜フィルタの最終層に、酸化インジウムスズ（ＩＴＯ：Indium Tin Oxide）を蒸着させ、光学多層膜フィルタの表面を導電体で形成する方法で帯電を除去していた。ＩＴＯは可視光の透過率が約９０％あり、膜の光学特性を変化させない方法として用いられてきた。
【手続補正３】
【補正対象書類名】明細書
【補正対象項目名】０００５
【補正方法】変更
【補正の内容】
【０００５】
しかしながら、ＩＴＯを蒸着する方法は屈折率の高い誘電体膜と低い誘電体膜とを交互に積層した最後にＩＴＯを蒸着させるため、蒸着層内を汚し、光学多層膜フィルタの特性を劣化させる問題がある。また、インジウムＩｎは希少金属であり、ＩＴＯが液晶パネルや有機ＥＬなどのＦＰＤ（フラット・パネル・ディスプレイ）に広く使われると、価格の高騰と将来の供給不足とが心配される。
【手続補正４】
【補正対象書類名】明細書
【補正対象項目名】００１２
【補正方法】変更
【補正の内容】
【００１２】
第６の観点の光学多層膜フィルタの最終層の蒸着材料は、ＭｇＦ２又はＬｉＦである。
ＭｇＦ２又はＬｉＦは原子量が小さく、高屈折率薄膜又は低屈折率薄膜に入り込む。
【手続補正５】
【補正対象書類名】明細書
【補正対象項目名】００２７
【補正方法】変更
【補正の内容】
【００２７】
＜光学多層膜フィルタ３０の構成＞
光学多層膜フィルタ３０の光透過率は透明薄膜の屈折率と膜厚の積で決まるため、所望する赤外線を反射するように屈折率と膜厚と積層数とを設計する。一般的に膜厚は波長の反射率もしくは透過率が最大になるように波長の１／４前後に設計される。
【手続補正６】
【補正対象書類名】明細書
【補正対象項目名】００２８
【補正方法】変更
【補正の内容】
【００２８】
図２はイオンアシスト蒸着装置１０で水晶基板２０に薄膜を積層した構成図を示す。例えば、赤外線を除去するために、水晶基板２０に透明薄膜である高い屈折率の二酸化チタン３２を１層目に蒸着し、２層目に低い屈折率の二酸化ケイ素３３を蒸着し、交互に積層することで複層にする。最終層のｎ層には低い屈折率のフッ化マグネシウム３１を積層し、（ｎ−１）層には低い屈折率の二酸化ケイ素３３を積層している。ｎ層と（ｎ−１）層は光学多層膜フィルタ３０のなかで唯一、低い屈折率の物質同士を重ね、２種類の物質で所定の薄膜を形成する。薄膜の積層数は積層方法により２０層から６０層に重ねる。
【手続補正７】
【補正対象書類名】明細書
【補正対象項目名】００２９
【補正方法】変更
【補正の内容】
【００２９】
最終層（ｎ層）に積層したフッ化マグネシウム３１のマグネシウムＭｇは低い屈折材料や高い屈折材料より小さな原子量を持ち、また酸素と結合しやすい性質のため、下層の二酸化ケイ素層に入り込み、酸素と結合することで、一酸化マグネシウム（ＭｇＯ）が形成される。また、マグネシウム（Ｍｇ）は二酸化ケイ素層の下部の二酸化チタン層にも入り込み、一酸化マグネシウム（ＭｇＯ）が形成されることで、一酸化チタン（ＴｉＯ）が形成される。ちなみに、マグネシウム（Ｍｇ）の原子量は２４．３０５、フッ素（Ｆ）の原子量は１８．９９８、ケイ素（Ｓｉ）の原子量は２８．０８５、チタン（Ｔｉ）の原子量は４７．８６７である。
【手続補正８】
【補正対象書類名】明細書
【補正対象項目名】００３２
【補正方法】変更
【補正の内容】
【００３２】
グラフで分かるように光学多層膜フィルタ３０の表面より５０ｎｍ付近までｎ層のマグネシウム（Ｍｇ）がピークを示し、（ｎ−２）層まで徐々に減少し、二酸化チタン層にも入り込んでいる様子が分かる。二酸化チタン層にはマグネシウム（Ｍｇ）が図３の破線枠Ａで示すように１０カウントから５０カウントの幅で混入し、酸化マグネシウムと一酸化チタンとが形成されている。（ｎ−３）層以下にはマグネシウムＭｇが１０カウント以下になり、真空チャンバ１９内を浮遊するマグネシウム（Ｍｇ）が混入しているものと考えられる。
【手続補正９】
【補正対象書類名】明細書
【補正対象項目名】００３４
【補正方法】変更
【補正の内容】
【００３４】
以上より、イオンアシスト蒸着装置１０では、所定厚でそれぞれの物質が水晶基板２０に蒸着され、マグネシウムＭｇの特性により、適度に下層まで入り込んでいる様子が分かる。これにより光学多層膜フィルタ３０は赤外線を除去し、また金属膜を形成することができ帯電を除去することができる。